(57)【要約】【課題】  屋上等を緑化することによって、屋上の断熱性を向上させ冷房費等の削減と、植物を植えることによる二酸化炭素の吸収が図られている。  緑化方法は植物を植えて潅水し育てるのであるが、その自動給水方法が従来難しかった。  そこで、自動的に潅水され、且つ効率よく無駄な潅水をできるだけ避けるような潅水方法を提供する。【解決手段】  土壌水分センサによって土壌水分が一定以下になったことを検知し、その時点からタイマーで一定時間潅水する方法において、前回の潅水から検知までの時間によってタイマーによる潅水時間を決定するもの。【選択図】  図１
2005065549.tif 000002
【特許請求の範囲】
【請求項１】
土壌水分センサによって土壌水分が一定以下になったことを検知し、その時点からタイマーで一定時間潅水する方法において、前回の潅水から検知までの時間によってタイマーによる潅水時間を決定することを特徴とする植物の潅水方法。
【請求項２】
潅水は給水ポンプによって行なうものである請求項１記載の植物の潅水方法。
【請求項３】
潅水は上水道によって行なうものである請求項１記載の植物の潅水方法。
【請求項４】
該土壌水分センサは、高周波交流で作動するものである請求項１記載の植物の潅水方法。
【発明の詳細な説明】
【技術分野】
【０００１】
本発明は、植物の潅水方法に関するものである。
【背景技術】
【０００２】
ここで潅水とは、植物に水を与えることを言う。
近時、ビルの屋上やベランダの緑化が叫ばれてきている。これは、屋上等を緑化することによって、屋上の断熱性を向上させ冷房費等の削減と、植物を植えることによる二酸化炭素の吸収、更には土壌が保持する水分の蒸発潜熱等による温度変化の軽減等である。
政府もこれを促進するため、種々の便宜を図っている。例えば、建蔽率の見なおし、補助金の供与、減税等である。
【０００３】
緑化方法は植物を植えて潅水し育てるのであるが、人件費の高騰、経費節減の折から潅水する作業員を確保することは難しい。また、人間では忘れることも考慮しなければならない。
【０００４】
そのため、自動潅水法が種々考えられている。例えば、土壌水分を計測し、一定以下になれば潅水し、一定以上になれば潅水を停止するものである。しかし、この方法では、土壌水分測定器のセンサ部分が少し濡れると直ちに潅水を停止したりして土壌水分を確保することが実際には無理であった。
【０００５】
また、タイマだけで適当に行なう方法では、雨が続いたときや極端な日照りの時には適切に潅水することはできない。
【０００６】
更に、特許文献１のような水分計とタイマを使用した方法も考案されている。これは、土壌水分センサによって乾燥状態を識別し、３つのタイマを用いて少量高頻度潅水を行なうものである。
しかし、この文献にも記載されている通り非常に高頻度で潅水するものであり、動作も複雑である。
【特許文献１】特開２００２−２８１８４２
【発明の開示】
【発明が解決しようとする課題】
【０００７】
そこで、自動的に潅水され、且つ効率よく無駄な潅水をできるだけ避けるような潅水方法を提供する。
【課題を解決するための手段】
【０００８】
以上のような状況に鑑み、本発明者は鋭意研究の結果本発明植物の潅水方法を完成したものであり、その特徴とするところは、土壌水分センサによって土壌水分が一定以下になったことを検知し、その時点からタイマーで一定時間潅水する方法において、前回の潅水から検知までの時間によってタイマーによる潅水時間を決定する点にある。
【０００９】
土壌水分センサとは、土壌中の水分を検出できるものであればどのようなものでもよい。例えば、土壌中の２電極間の抵抗値や電導度を測定するもの等である。本発明では、水分の量によってコントロールする等はなく、オン・オフの考え方であるため、例えば、所定値を越えた（又は以下になった）ときにオン又はオフと考えればよい。
【００１０】
水分測定装置の中でも、高周波交流で作動するものが好適である。これはインバーターで周波数を変更し使用するものである。勿論、通常の交流のものでも、直流式のものでもよい。
【００１１】
土壌水分が一定以下とは、特定の植物、特定の土壌によって決まる値より水分が減少したことをいう。これは、植物学的に決まるものではなく、栽培者が適当に決めればよい。これを大きくとれば、少し水分が減少しても潅水することとなる。
【００１２】
通常は、水分量が一定値というのは測定し難いため、装置による測定値が所定値を越えた（又は以下になった）ことをいう。
【００１３】
この所定値は、栽培する植物や土壌によって栽培者が適当に決めるものであり、その状態の時の使用する測定装置の値で決定すればよい。例えば、Ａという植物で、Ｂとう土壌ならば、Ｃという水分量（例えば、ｐＦ値１．８）になれば潅水するとまず決める。そして、使用する測定装置がそのＣの状態のときにＤという値を示すならば、そのＤが所定値となる。
【００１４】
そして、その一定値になった時点からタイマーが作動し、それによって一定時間潅水する。即ち、潅水時間はこのタイマーによってのみ決まるものであり、水分測定機等の測定値によらない。
【００１５】
前回の潅水から検知までの時間とは、前回の潅水開始時（潅水終了時でもよい）から前記した測定装置が所定値を検知した時までの時間である。即ち、前回の潅水によってどの程度の期間水分が保たれたかを判定するものである。
【００１６】
この時間によって、タイマーによる潅水時間を決定するのである。即ち、この検知した時までの時間が、４８時間であれば、タイマー設定値を１０分とする等と決めておく。後は比例配分等の一定の関数により変化させればよい。
例えば、比例配分の場合には、４８時間で１０分であれば、２４時間なら２０分ということとなる。このようにしておけば、何らかの事情によって、水分保持の時間が変化しても、それによって潅水時間（即ち、潅水量）を変化させ、徐々に一定間隔になるようにする。
【００１７】
本発明では、潅水の方法は自由である。ポンプで行なっても、単に水道の圧でそのまま給水してもよい。潅水の量も自由に設定すればよい。
【発明の効果】
【００１８】
本発明潅水方法には次のような利点がある。
（１）  水分保持時間によって、次回の潅水時間（潅水量）を決めるため、保持期間が徐々に一定になり、おおよそ土壌中の水分状態が同じような加湿、乾燥を繰り返すこととなり、植物によい状態となる。
（２）  潅水開始の土壌水分量等は自由に設定できる。
（３）  梅雨の時期でも乾燥時でも、適切な水分量を維持できる。
（４）  水分測定装置の測定値による数値制御を行なっていないため、ハンチングしたり制御不能になるおそれはない。
【発明を実施するための最良の形態】
【００１９】
以下図面に示す実施の形態に基づいて、本発明をより詳細に説明する。
【実施例１】
【００２０】
図１は、本発明潅水方法を実施するための装置を示す概略断面図である。制御部１と２本の電極２が連結され、ポンプ３とも電気的に接続されている。制御部１には、コンピューター、水分測定機、タイマー等が内蔵されている。ポンプ３から土壌４に配管５が敷設されている。
【００２１】
まず、最初適当な量散水する。そして、乾燥させながら水分測定値の値をチェックする。乾燥が進み土壌を見て潅水の時期と判断したときの水分測定値（水分所定値）を確認しておく。次回からこの測定値になれば潅水するようにする。
次に、タイマーを一定時間にセットして、その時間ポンプを稼動させて潅水する。
【００２２】
そして、次に乾燥した（水分測定値が所定値になる）ときに、潅水開始時からその時までの時間を記録する。そして予め決めておいた係数をその時間に掛けて次回の潅水時間を決める。例えば、１００時間なら１０分と決めており、関係は１次比例とする。そして、２００時間という測定値がでれば、次回の潅水時間は５分となる。即ち、長く保持したので、次回はそんなに多量には要らないと判断されるためである。
【図面の簡単な説明】
【００２３】
【図１】本発明潅水方法を実施するための装置を示す概略断面図である。
【符号の説明】
【００２４】
１  制御部
２  電極
３  ポンプ
４  土壌
５  配管
【図１】
2005065549.tif 000003